(57)【要約】【課題】照明付小型撮像装置の組立を容易にすると共に、照明光量の損失を少なくし、均質な光量で被写体を照明する。【解決手段】角型のカメラ本体１１は間隙を設けて外周の金属製の円形の保護管１２により覆われ、間隙内には透明合成樹脂材から成る枠体状の成型体である照明端１４が配置されている。照明端１４の後部には照明光伝達用の複数本の光ファイバ１５が接続され、光ファイバ１５の後端の入射端に光源に接続されている。光源からの照明光は光ファイバ１５を伝達して照明端１４に伝達され、照明端１４内で拡散されて均質な照明光として被写体に照射される。【選択図】図２
2018180185.tif 000002
【特許請求の範囲】
【請求項１】
カメラ本体又はイメージガイドと外周の保護管との間隙に照明端を配置した小型撮像装置において、前記照明端は前記間隙の形状に合わせて透明合成樹脂材による成型体とし、前記照明端の後部に光伝達部材を接続し、該光伝達部材の後端の入射端から光源による照明光を前記照明端に伝達することを特徴とする照明付小型撮像装置。
【請求項２】
前記照明端の成型体に複数本の前記光伝達部材を接続したことを特徴とする請求項１に記載の照明付小型撮像装置。
【請求項３】
前記照明端は１本の前記光伝達部材の先端を分割又は変形して前記成型体としたことを特徴とする請求項１に記載の照明付小型撮像装置。
【請求項４】
前記カメラ本体又はイメージガイドは断面角型とし前記保護管は円筒体とし、前記照明端をこれらの間隙に挿入したことを特徴とする請求項１〜３の何れか１項に記載の照明付小型撮像装置。
【請求項５】
前記光伝達部材は光ファイバとしたことを特徴とする請求項１〜４の何れか１項に記載の照明付小型撮像装置。
【発明の詳細な説明】
【技術分野】
【０００１】
本発明は、医療用、工業用等で使用する照明付小型撮像装置に関するものである。
【背景技術】
【０００２】
狭隘な個所での使用、例えば血管中に挿入して使用するビデオカメラ等では、直径１．０ｍｍ程度の超小型カメラが使用されることがある。そして、このカメラを暗部で使用するには照明光が必要である。
【０００３】
カメラ自体に照明端を付設すると使い勝手が良いことから、カメラの先端付近にＬＥＤなどの発光素子を取り付けたり、光ファイバを利用して光を伝送して照明することが行われている。
【０００４】
しかし、先端付近にＬＥＤなどの照明光源を取り付けるには、カメラ先端付近にスペースを必要として小型化を阻害することになり、更にはカメラの極く近傍の短い距離の被写体を撮像する場合には、被写体への照射光量が片寄ってしまうことになる。
【０００５】
このような弊害を避けるために、超小型カメラでは照明端として光ファイバを使用することが多い。この場合には図１３に示す従来例のように、角型のカメラ本体１を円角形の保護管２により覆い、カメラ本体１の周囲の４個の間隙に合成樹脂製の例えば径０．０５〜０．２５ｍｍの光ファイバ３を俵積みして配置して照明端としている。
【０００６】
また図１４に示すように、円形のイメージガイド４の周囲に、多数本の光ファイバ５を一列に並べて配置して、これらの光ファイバ５により照明光を伝送することが、例えば特許文献１に開示されている。そして、これらの光ファイバ５の周囲を保護管６で覆って使用している。
【先行技術文献】
【特許文献】
【０００７】
【特許文献１】特開平５−２７１２０号公報
【発明の概要】
【発明が解決しようとする課題】
【０００８】
図１３、図１４に示す超小型カメラにおいては、上述のようにカメラ側で多数本の光ファイバを分離して配列し、光源側においてはこれらの光ファイバを束ねて光源からの光束を入射する。
【０００９】
しかし、光源側において、光源の近くに位置された光ファイバ３、５への入射光量と、離れて配置された光ファイバ３、５への入射光量とが異なり、カメラ側に配列された個々の照明端となる光ファイバ３、５からの出射光量が異なることになる。このため、特にカメラ本体１等に近接した被写体に対する照明にはむらが生じ、良好な画像が得られないことが多い。
【００１０】
また、上述の従来例のように、組立時にカメラ本体１等の周囲に、多数本の極細の光ファイバを整然と配列することは極めて難しい。
【００１１】
本発明の目的は、上述の課題を解消し、組立が容易になると共に、照明光量の損失を少なくし、かつ均質な光量で照明可能な照明付小型撮像装置を提供することにある。
【課題を解決するための手段】
【００１２】
上記目的を達成するための本発明に係る照明付小型撮像装置は、カメラ本体又はイメージガイドと外周の保護管との間隙に照明端を配置した小型撮像装置において、前記照明端は前記間隙の形状に合わせて透明合成樹脂材による成型体とし、前記照明端の後部に光伝達部材を接続し、該光伝達部材の後端の入射端から光源による照明光を前記照明端に伝達することを特徴とする。
【発明の効果】
【００１３】
本発明に係る照明付小型撮像装置によれば、照明端をカメラ等と保護管との間隙の形状に合わせた成型体とすることにより、容易に組立てることができると共に、光量の損失を小さくし、被写体をむらのない均質な光量で照明できる。
【図面の簡単な説明】
【００１４】
【図１】実施例１の照明付小型撮像装置の斜視図である。
【図２】断面図である。
【図３】分解斜視図である。
【図４】実施例２の撮像装置の断面図である。
【図５】照明端の製造過程の説明図である。
【図６】実施例３の撮像装置の正面図である。
【図７】照明端を形成した光ファイバの斜視図である。
【図８】実施例４の撮像装置の正面図である。
【図９】照明端を形成した光ファイバの斜視図である。
【図１０】変形例の照明端の斜視図である。
【図１１】実施例５の撮像装置の正面図である。
【図１２】照明端を形成した光ファイバの斜視図である。
【図１３】従来例の角型の小型カメラの斜視図である。
【図１４】従来例の丸型の小型カメラの斜視図である。
【発明を実施するための形態】
【００１５】
本発明を図１〜図１２に図示の実施例に基づいて詳細に説明する。
【実施例１】
【００１６】
図１は実施例１の照明付小型撮像装置の斜視図、図２は断面図、図３は分解斜視図である。撮像素子を内蔵したカメラ本体１１の外形は角型であり、例えば一辺が１．０ｍｍの正方形とされ、カメラ本体１１の前面にはレンズ１１ａが配置され、後部から信号線１１ｂが引き出されている。カメラ本体１１を覆う金属製又は合成樹脂製から成る円筒体の保護管１２の内径は、例えば１．５ｍｍとされている。また、保護管１２の長さは例えば５ｍｍであり、その後方には可撓性を有する長尺の合成樹脂製のチューブ１３が連続的に接続されている。
【００１７】
照明端１４は枠体状の透明合成樹脂材の成型体から成り、外形は円形とされ、内側は正方形に刳り抜かれており、カメラ本体１１と保護管１２との間隙に合致する形状とされている。更に、照明端１４の後方には、光伝達部材として合成樹脂材から成る複数本の光ファイバ１５が接着剤等により接続されており、これらの光ファイバ１５は保護管１２、チューブ１３内を経て光源に接続されている。また、カメラ本体１１の信号線１１ｂも、保護管１２、チューブ１３を経て遠方まで引き出されている。
【００１８】
光ファイバ１５の後方から光源により照明光を入射すると、この光ファイバ１５の端部において照明光は照明端１４内に入射し、照明端１４において拡散され、照明端１４から照明光として被写体を照射する。
【００１９】
被写体に対して、照明端１４からはほぼ均質な照明光が出射されるので、カメラ本体１１により良好な画像信号が得られ、信号線１１ｂを介して送られ画像化される。
【実施例２】
【００２０】
図４は実施例２の照明付小型撮像装置の断面図である。実施例１と同様に、角型のカメラ本体１１は円筒形の保護管１２により覆われている。保護管１２内には、カメラ本体１１の信号線１１ｂ、複数本の光ファイバ１５を挿通した仕切板１６が配置されている。そして、カメラ本体１１と保護管１２との間隙には、エポキシ等の透明な合成樹脂材から成る硬化接着剤１７の注入により成型された照明端１８が配置されている。
【００２１】
組立時には、図５に示すように光ファイバ１５等を組み込んだ状態のカメラ本体１１と保護管１２との間隙に、硬化接着剤１７を滴下して固化させる。硬化接着剤１７は保護管１２内において光ファイバ１５と一体化され、更に仕切板１６により過剰な流入が阻止される。
【００２２】
この実施例２においては、固化した硬化接着剤１７が照明端１８として機能し、光ファイバ１５から伝達された照明光は照明端１８内で拡散され、均質な照明光として被写体を照射するので、実施例１と同様にカメラ本体１１により良好な撮像が可能となる。
【実施例３】
【００２３】
図６は実施例３を示し、先端にレンズ１１ａを設け後部から信号線１１ｂが引き出された角型のカメラ本体１１と円筒形の保護管１２間の４個の間隙内に、合成樹脂材から成る光伝達部材である太径の光ファイバ２１が分割され成型された照明端２２が配置されている。
【００２４】
図７に示すように、各照明端２２は間隙の形状に合致した断面略半月状とされている。この照明端２２は１本の合成樹脂製の光ファイバ２１の先端を略半月状に加工した４個の照明端２２が、図６に示すようにそれぞれカメラ本体１１と保護管１２との間隙内に挿入されている。また、照明端２２の切れ目の一部の引出口２１ａからカメラ本体１１の信号線１１ｂが引き出されるようにされ、光ファイバ２１の入射端２１ｂは元の太い形状のままとされている。
【００２５】
この実施例３においても、光ファイバ２１の入射端２１ｂから入射された照明光は、光ファイバ２１内を進むにつれて拡散され、照明端２２において４個の照明光に分岐されて被写体を均質に照射する。
【実施例４】
【００２６】
図８は実施例４の丸型のカメラ本体を円筒体の保護管に挿入した正面図である。カメラ本体３１の前部にはレンズ３１ａが設けられ、後部には信号線３１ｂが接続されている。カメラ本体３１と保護管１２の間隙には照明端３２が挿入されている。
【００２７】
図９は照明端３２の斜視図であり、照明端３２は合成樹脂材から成る太径の光ファイバ３３を使用し、先端において金型を用いて加熱して成型され、カメラ本体３１の周囲を包み込むために円弧状に加工されている。照明端３２の切れ目の一部にカメラ本体３１の信号線３１ｂを引き出すための引出口３３ａが形成され、入射端３３ｂでは光ファイバ３３のそのままの形状で使用されている。
【００２８】
照明に際しては、光ファイバ３３の後端の入射端３３ｂに光源から光束を入射する。入射端３３ｂに入射した照明光は光ファイバ３３内で拡散し、照明端３２からは均質な照明光が出射される。
【００２９】
図１０は変形例の照明端３２’の斜視図である。照明端３２’は２個に分岐された半円弧状に成型されている。２個の照明端３２’を合わせて、照明端３２’はカメラ本体３１を囲むように円弧状に配置されている。
【実施例５】
【００３０】
図１１は実施例５のカメラの正面図であり、カメラ本体３１の外周に四角型の保護管４１が配置され、カメラ本体３１と保護管４１との間の４個の間隙に照明端４２が配置されている。この四角型の保護管４１を用いた撮像装置は、角溝等に挿入して位置決めをする場合等に有効に用いられる。
【００３１】
図１２に示すように、各照明端４２は１本の合成樹脂製の光ファイバ４３を加工することにより成型され、各照明端４２は間隙の形状と合致するように略三角型とされている。
【００３２】
また、光ファイバ４３の後端の入射端４３ｂはそのままの形状で使用されており、入射端４３ｂから光源の照明光を入射して照明端４２から被写体を均質に照明する。
【００３３】
なお、上述の各実施例においては、保護管の中心にカメラ本体を配置したが、保護管に対してカメラ本体を片寄せて配置することもでき、それに応じて照明端も片寄せることもできる。
【００３４】
また、カメラ本体の周囲に照明端を配置したが、カメラ本体の代りに光ファイバ等から成るイメージガイドを配置し、イメージガイドの遠端にカメラによる撮像手段を設けることもできる。
【符号の説明】
【００３５】
１１、３１  カメラ本体
１１ａ  レンズ
１１ｂ  信号線
１２、４１  保護管
１３  チューブ
１５、２１、３３、４３  光ファイバ
１４、１８、２２、３２、４２  照明端
【図１】
2018180185.tif 000003
【図２】
2018180185.tif 000004
【図３】
2018180185.tif 000005
【図４】
2018180185.tif 000006
【図５】
2018180185.tif 000007
【図６】
2018180185.tif 000008
【図７】
2018180185.tif 000009
【図８】
2018180185.tif 000010
【図９】
2018180185.tif 000011
【図１０】
2018180185.tif 000012
【図１１】
2018180185.tif 000013
【図１２】
2018180185.tif 000014
【図１３】
2018180185.tif 000015
【図１４】
2018180185.tif 000016
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
カメラ本体又はイメージガイドと外周の保護管との間隙に照明端を配置した小型撮像装置において、前記照明端は前記間隙に透明な合成樹脂材から成る硬化接着剤の注入により成型された成型体であり、前記照明端の後部に光伝達部材を接続し、該光伝達部材の端部において光源により入射した照明光を、前記照明端に伝達することを特徴とする照明付小型撮像装置。
【請求項２】
前記保護管に仕切板を設け、前記硬化接着剤は前記仕切板よりも前記保護管の先端側に設けるようにしたことを特徴とする請求項１に記載の照明付小型撮像装置。
【手続補正２】
【補正対象書類名】明細書
【補正対象項目名】全文
【補正方法】変更
【補正の内容】
【発明の詳細な説明】
【技術分野】
【０００１】
本発明は、医療用、工業用等で使用する照明付小型撮像装置に関するものである。
【背景技術】
【０００２】
狭隘な個所での使用、例えば血管中に挿入して使用するビデオカメラ等では、直径１．０ｍｍ程度の超小型カメラが使用されることがある。そして、このカメラを暗部で使用するには照明光が必要である。
【０００３】
カメラ自体に照明端を付設すると使い勝手が良いことから、カメラの先端付近にＬＥＤなどの発光素子を取り付けたり、光ファイバを利用して光を伝送して照明することが行われている。
【０００４】
しかし、先端付近にＬＥＤなどの照明光源を取り付けるには、カメラ先端付近にスペースを必要として小型化を阻害することになり、更にはカメラの極く近傍の短い距離の被写体を撮像する場合には、被写体への照射光量が片寄ってしまうことになる。
【０００５】
このような弊害を避けるために、超小型カメラでは照明端として光ファイバを使用することが多い。この場合には図１３に示す従来例のように、角型のカメラ本体１を円角形の保護管２により覆い、カメラ本体１の周囲の４個の間隙に合成樹脂製の例えば径０．０５〜０．２５ｍｍの光ファイバ３を俵積みして配置して照明端としている。
【０００６】
また図１４に示すように、円形のイメージガイド４の周囲に、多数本の光ファイバ５を一列に並べて配置して、これらの光ファイバ５により照明光を伝送することが、例えば特許文献１に開示されている。そして、これらの光ファイバ５の周囲を保護管６で覆って使用している。
【先行技術文献】
【特許文献】
【０００７】
【特許文献１】特開平５−２７１２０号公報
【発明の概要】
【発明が解決しようとする課題】
【０００８】
図１３、図１４に示す超小型カメラにおいては、上述のようにカメラ側で多数本の光ファイバを分離して配列し、光源側においてはこれらの光ファイバを束ねて光源からの光束を入射する。
【０００９】
しかし、光源側において、光源の近くに位置された光ファイバ３、５への入射光量と、離れて配置された光ファイバ３、５への入射光量とが異なり、カメラ側に配列された個々の照明端となる光ファイバ３、５からの出射光量が異なることになる。このため、特にカメラ本体１等に近接した被写体に対する照明にはむらが生じ、良好な画像が得られないことが多い。
【００１０】
また、上述の従来例のように、組立時にカメラ本体１等の周囲に、多数本の極細の光ファイバを整然と配列することは極めて難しい。
【００１１】
本発明の目的は、上述の課題を解消し、製造が容易になると共に、照明光量の損失を少なくし、かつ均質な光量で照明可能な照明付小型撮像装置を提供することにある。
【課題を解決するための手段】
【００１２】
上記目的を達成するための本発明に係る照明付小型撮像装置は、カメラ本体又はイメージガイドと外周の保護管との間隙に照明端を配置した小型撮像装置において、前記照明端は前記間隙に透明な合成樹脂材から成る硬化接着剤の注入により成型された成型体であり、前記照明端の後部に光伝達部材を接続し、該光伝達部材の端部において光源により入射した照明光を、前記照明端に伝達することを特徴とする。
【発明の効果】
【００１３】
本発明に係る照明付小型撮像装置によれば、照明端を硬化接着剤を用いてカメラ等と保護管との間隙の形状に合わせた成型体とすることにより、容易に組立てることができると共に、光量の損失を小さくし、被写体をむらのない均質な光量で照明できる。
【図面の簡単な説明】
【００１４】
【図１】参考例１の照明付小型撮像装置の斜視図である。
【図２】参考例１の断面図である。
【図３】参考例１の分解斜視図である。
【図４】実施例の撮像装置の断面図である。
【図５】実施例の照明端の製造過程の説明図である。
【図６】参考例２の撮像装置の正面図である。
【図７】参考例２の照明端を形成した光ファイバの斜視図である。
【図８】参考例３の撮像装置の正面図である。
【図９】参考例３の照明端を形成した光ファイバの斜視図である。
【図１０】参考例３の変形例の照明端の斜視図である。
【図１１】参考例４の撮像装置の正面図である。
【図１２】参考例４の照明端を形成した光ファイバの斜視図である。
【図１３】従来例の角型の小型カメラの斜視図である。
【図１４】従来例の丸型の小型カメラの斜視図である。
【発明を実施するための形態】
【００１５】
［参考例１］
図１は参考例１の照明付小型撮像装置の斜視図、図２は断面図、図３は分解斜視図である。撮像素子を内蔵したカメラ本体１１の外形は角型であり、例えば一辺が１．０ｍｍの正方形とされ、カメラ本体１１の前面にはレンズ１１ａが配置され、後部から信号線１１ｂが引き出されている。カメラ本体１１を覆う金属製又は合成樹脂製から成る円筒体の保護管１２の内径は、例えば１．５ｍｍとされている。また、保護管１２の長さは例えば５ｍｍであり、その後方には可撓性を有する長尺の合成樹脂製のチューブ１３が連続的に接続されている。
【００１６】
参考例１の照明端１４は枠体状の透明合成樹脂材の成型体から成り、外形は円形とされ、内側は正方形に刳り抜かれており、カメラ本体１１と保護管１２との間隙に合致する形状とされている。更に、照明端１４の後方には、光伝達部材として合成樹脂材から成る複数本の光ファイバ１５が接着剤等により接続されており、これらの光ファイバ１５は保護管１２、チューブ１３内を経て光源に接続されている。また、カメラ本体１１の信号線１１ｂも、保護管１２、チューブ１３を経て遠方まで引き出されている。
【００１７】
光ファイバ１５の後方から光源により照明光を入射すると、この光ファイバ１５の端部において照明光は照明端１４内に入射し、照明端１４において拡散され、照明端１４から照明光として被写体を照射する。
【００１８】
被写体に対して、照明端１４からはほぼ均質な照明光が出射されるので、カメラ本体１１により良好な画像信号が得られ、信号線１１ｂを介して送られ画像化される。
【実施例】
【００１９】
図４は実施例の照明付小型撮像装置の断面図である。参考例１と同様に、角型のカメラ本体１１は円筒形の保護管１２により覆われている。保護管１２内には、カメラ本体１１の信号線１１ｂ、複数本の光ファイバ１５を挿通した仕切板１６が配置されている。そして、カメラ本体１１と保護管１２との間隙には、エポキシ等の透明な合成樹脂材から成る硬化接着剤１７の注入により成型された照明端１８が配置されている。
【００２０】
組立時には、図５に示すように光ファイバ１５等を組み込んだ状態のカメラ本体１１と保護管１２との間隙に、硬化接着剤１７を滴下して固化し成型体とする。硬化接着剤１７は保護管１２内において光ファイバ１５と一体化され、更に仕切板１６により過剰な流入が阻止される。
【００２１】
この実施例においては、固化した硬化接着剤１７が照明端１８として機能し、光ファイバ１５から伝達された照明光は照明端１８内で拡散され、均質な照明光として被写体を照射するので、カメラ本体１１により良好な撮像が可能となる。
【００２２】
［参考例２］
図６は参考例２を示し、先端にレンズ１１ａを設け後部から信号線１１ｂが引き出された角型のカメラ本体１１と円筒形の保護管１２間の４個の間隙内に、合成樹脂材から成る光伝達部材である太径の光ファイバ２１が分割され成型された照明端２２が配置されている。
【００２３】
図７に示すように、参考例２の各照明端２２は間隙の形状に合致した断面略半月状とされている。この照明端２２は１本の合成樹脂製の光ファイバ２１の先端を略半月状に加工した４個の照明端２２が、図６に示すようにそれぞれカメラ本体１１と保護管１２との間隙内に挿入されている。また、照明端２２の切れ目の一部の引出口２１ａからカメラ本体１１の信号線１１ｂが引き出されるようにされ、光ファイバ２１の入射端２１ｂは元の太い形状のままとされている。
【００２４】
この参考例２においても、光ファイバ２１の入射端２１ｂから入射された照明光は、光ファイバ２１内を進むにつれて拡散され、照明端２２において４個の照明光に分岐されて被写体を均質に照射する。
【００２５】
［参考例３］
図８は参考例３の丸型のカメラ本体を円筒体の保護管に挿入した正面図である。カメラ本体３１の前部にはレンズ３１ａが設けられ、後部には信号線３１ｂが接続されている。カメラ本体３１と保護管１２の間隙には照明端３２が挿入されている。
【００２６】
図９は参考例３の照明端３２の斜視図であり、照明端３２は合成樹脂材から成る太径の光ファイバ３３を使用し、先端において金型を用いて加熱して成型され、カメラ本体３１の周囲を包み込むために円弧状に加工されている。照明端３２の切れ目の一部にカメラ本体３１の信号線３１ｂを引き出すための引出口３３ａが形成され、入射端３３ｂでは光ファイバ３３のそのままの形状で使用されている。
【００２７】
照明に際しては、光ファイバ３３の後端の入射端３３ｂに光源から光束を入射する。入射端３３ｂに入射した照明光は光ファイバ３３内で拡散し、照明端３２からは均質な照明光が出射される。
【００２８】
図１０は参考例３の変形例の照明端３２’の斜視図である。照明端３２’は２個に分岐された半円弧状に成型されている。２個の照明端３２’を合わせて、照明端３２’はカメラ本体３１を囲むように円弧状に配置されている。
【００２９】
［参考例４］
図１１は参考例４のカメラの正面図であり、カメラ本体３１の外周に四角型の保護管４１が配置され、カメラ本体３１と保護管４１との間の４個の間隙に照明端４２が配置されている。この四角型の保護管４１を用いた撮像装置は、角溝等に挿入して位置決めをする場合等に有効に用いられる。
【００３０】
図１２に示すように、参考例４の各照明端４２は１本の合成樹脂製の光ファイバ４３を加工することにより成型され、各照明端４２は間隙の形状と合致するように略三角型とされている。
【００３１】
また、光ファイバ４３の後端の入射端４３ｂはそのままの形状で使用されており、入射端４３ｂから光源の照明光を入射して照明端４２から被写体を均質に照明する。
【００３２】
なお、上述の実施例及び参考例においては、保護管の中心にカメラ本体を配置したが、保護管に対してカメラ本体を片寄せて配置することもでき、それに応じて照明端も片寄せることもできる。
【００３３】
また、実施例及び参考例ではカメラ本体の周囲に照明端を配置したが、カメラ本体の代りに光ファイバ等から成るイメージガイドを配置し、イメージガイドの遠端にカメラによる撮像手段を設けることもできる。
【符号の説明】
【００３４】
１１  カメラ本体
１１ａ  レンズ
１１ｂ  信号線
１２  保護管
１３  チューブ
１５  光ファイバ
１６ 仕切板
１７ 硬化接着剤
１８  照明端
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
カメラ本体又はイメージガイドと、前記カメラ本体又はイメージガイドを囲む保護管と、前記カメラ本体又はイメージガイドと前記保護管との間隙に配置し、前記保護管の前方を照明する照明端と、該照明端の後部に接続し光源からの照明光を前記照明端に伝達する光伝達部材とから成る照明付小型撮像装置であって、
前記照明端は透明な合成樹脂材から成る硬化接着剤により成型され、該硬化接着剤は前記保護管内において前記光伝達部材と一体化されていることを特徴とする照明付小型撮像装置。
【請求項２】
前記保護管に前記硬化接着剤用の仕切壁を設けたことを特徴とする請求項１に記載の照明付小型撮像装置。
【手続補正２】
【補正対象書類名】明細書
【補正対象項目名】００１２
【補正方法】変更
【補正の内容】
【００１２】
上記目的を達成するための本発明に係る照明付小型撮像装置は、カメラ本体又はイメージガイドと、前記カメラ本体又はイメージガイドを囲む保護管と、前記カメラ本体又はイメージガイドと前記保護管との間隙に配置し、前記保護管の前方を照明する照明端と、該照明端の後部に接続し光源からの照明光を前記照明端に伝達する光伝達部材とから成る照明付小型撮像装置であって、前記照明端は透明な合成樹脂材から成る硬化接着剤により成型され、該硬化接着剤は前記保護管内において前記光伝達部材と一体化されていることを特徴とする。
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
カメラ本体又はイメージガイドと、前記カメラ本体又はイメージガイドを囲む保護管と、前記カメラ本体又はイメージガイドと前記保護管との間隙に配置し、前記保護管の前方を照明する照明端と、該照明端の後部に接続し光源からの照明光を前記照明端に伝達する光伝達部材とから成る照明付小型撮像装置であって、
前記照明端は透明な合成樹脂材から成る硬化接着剤により成型され、該硬化接着剤は前記保護管内において前記光伝達部材と一体化されており、前記保護管に前記硬化接着剤用の仕切壁を設けたことを特徴とする照明付小型撮像装置。
【手続補正２】
【補正対象書類名】明細書
【補正対象項目名】００１２
【補正方法】変更
【補正の内容】
【００１２】
上記目的を達成するための本発明に係る照明付小型撮像装置は、カメラ本体又はイメージガイドと、前記カメラ本体又はイメージガイドを囲む保護管と、前記カメラ本体又はイメージガイドと前記保護管との間隙に配置し、前記保護管の前方を照明する照明端と、該照明端の後部に接続し光源からの照明光を前記照明端に伝達する光伝達部材とから成る照明付小型撮像装置であって、
前記照明端は透明な合成樹脂材から成る硬化接着剤により成型され、該硬化接着剤は前記保護管内において前記光伝達部材と一体化されており、前記保護管に前記硬化接着剤用の仕切壁を設けたことを特徴とする。